(57)【要約】【課題】遊技盤の前面に配置される装飾部材のビス止めを施す箇所を少なくして意匠性を向上させた遊技機における装飾体の固定構造を提供すること。【解決手段】遊技盤の遊技領域内に入賞口・装飾体類の盤面部品を所定位置に設置し、その入賞口に流入する遊技球を所定箇所に誘導する入賞球集合カバーを該遊技盤の裏面に設けた遊技機において、装飾体２５については、遊技盤１１の前面に取付けられる装飾ケース２６の背面側に、遊技盤１１に形成された穴１１ｃに挿入可能であって係合孔３５が形成された突出部３４を設け、入賞球集合カバー６０には、その係合孔３５に対応する係止鉤６１を設け、遊技盤１１の穴１１ｃに挿入された装飾体２５の係合孔３５に入賞球集合カバー６０の係止鉤６１を係合させた状態で当該入賞球集合カバー６０を遊技盤１１に固定することにより、当該装飾体２５が遊技盤１１に固定される。【選択図】図９
2007275316.tif 000002
【特許請求の範囲】
【請求項１】
遊技盤の前面に配置された外レールと内レールにより囲まれる遊技領域内に、多数の誘導釘や入賞口・装飾体類の盤面部品を所定位置に設置し、その入賞口に流入する遊技球を所定箇所に誘導する入賞球集合カバーを該遊技盤の裏面に設け、その遊技領域に打ち込まれた遊技球を転動させて所定の遊技を行うように設けられた遊技機において、
前記装飾体については、前記遊技盤の前面に取付けられる装飾ケースの背面側に、遊技盤に形成された穴に挿入可能であって係合孔が形成された突出部を設け、前記入賞球集合カバーには、その装飾体の係合孔に対応する係止鉤を設け、前記遊技盤の穴に挿入された装飾体の突出部の係合孔に前記入賞球集合カバーの係止鉤を係合させた状態で当該入賞球集合カバーを遊技盤に固定することにより、当該装飾体が当該遊技盤に固定されるように構成したことを特徴とする遊技機における装飾体の固定構造。
【請求項２】
前記装飾体の突出部の係合孔に前記入賞球集合カバーの係止鉤を係合させた状態において、その突出部の裏面を該入賞球集合カバーの内方の開口端に当接させるように設けられていることを特徴とする請求項１に記載の遊技機における装飾体の固定構造。
【請求項３】
前記装飾ケースを前記内レールに沿うように設け、その装飾ケースの裏面中央部に、遊技盤に設けられるアウト口に遊技球を案内するための誘導通路が設けられていることを特徴とする請求項１又は２に記載の遊技機における装飾体の固定構造。
【請求項４】
前記装飾ケースの背面側に所定間隔を置いて左右一対の係合孔を設け、前記入賞球集合カバーにそれらの係合孔に夫々係合する係止鉤を設けたことを特徴とする請求項１〜３の何れかに記載の遊技機における装飾体の固定構造。
【請求項５】
前記装飾ケースの所定箇所にレンズ部材を配置し、そのレンズ部材の背面側に設けられた発光ランプにより当該レンズ部材を照明するようにした電飾装置を設けたことを特徴とする請求項１〜４の何れかに記載の遊技機における装飾体の固定構造。
【発明の詳細な説明】
【技術分野】
【０００１】
本発明は、パチンコ機等の遊技機における装飾体の固定構造に関する。
【背景技術】
【０００２】
遊技機として一般的なパチンコ機は、例えば、特開２００４−１４１２０７号公報に記載されているように、遊技盤に外レールと内レールをほぼ円形で渦巻状に配置し、それら外レールと内レールにより囲まれる遊技領域内に、多数の誘導釘を特定の配列にて設置すると共に風車・入賞口・図柄表示装置・サイドランプ類の盤面部品を所定位置に設置し、遊技盤の前側を覆うガラスが装着されたガラス扉を前面枠に対して開閉自在に設けた構造とされている。
【０００３】
上記入賞口やサイドランプ類の盤面部品は、遊技に直接かかわる機能や遊技の状態を表示する機能を有しており、さらには遊技者に対して視覚的に好印象を与えるためにも、パチンコ機の意匠を演出する重要な役割を担わされている。
【０００４】
ところで、盤面部品については遊技盤の前面にビス止めにより固定されるのが一般的であるが、ビスの頭部が見えることにより美観を損ねてしまってデザイン上好ましくないことを否めない。しかし、ビス止めを施さなければ、盤面部品を遊技盤に固定することができず、盤面部品の固定状態が不十分であれば、盤面部品が遊技盤から浮上がってしまい、機能性及び耐久性の点において不都合を生ずる。
【０００５】
そこで、本件発明者は、上述した問題点を鑑みて、盤面部品たる装飾体についてデザインを配慮した固定構造を開発するに至った。
【特許文献１】特開２００４−１４１２０７号公報
【発明の開示】
【発明が解決しようとする課題】
【０００６】
本発明の目的は、遊技盤の前面に配置される装飾部材のビス止めを施す箇所を少なくして意匠性を向上させた遊技機における装飾体の固定構造を提供することにある。
【課題を解決するための手段】
【０００７】
前記目的を達成するために請求項１に記載した発明は、遊技盤の前面に配置された外レールと内レールにより囲まれる遊技領域内に、多数の誘導釘や入賞口・装飾体類の盤面部品を所定位置に設置し、その入賞口に流入する遊技球を所定箇所に誘導する入賞球集合カバーを該遊技盤の裏面に設け、その遊技領域に打ち込まれた遊技球を転動させて所定の遊技を行うように設けられた遊技機において、前記装飾体については、前記遊技盤の前面に取付けられる装飾ケースの背面側に、遊技盤に形成された穴に挿入可能であって係合孔が形成された突出部を設け、前記入賞球集合カバーには、その装飾体の係合孔に対応する係止鉤を設け、前記遊技盤の穴に挿入された装飾体の突出部の係合孔に前記入賞球集合カバーの係止鉤を係合させた状態で当該入賞球集合カバーを遊技盤に固定することにより、当該装飾体が当該遊技盤に固定されるように構成したことを特徴とする。
【０００８】
同様の目的を達成するために請求項２に記載した発明は、請求項１に記載の遊技機における装飾体の固定構造において、前記装飾体の突出部の係合孔に前記入賞球集合カバーの係止鉤を係合させた状態において、その突出部の裏面を該入賞球集合カバーの内方の開口端に当接させるように設けられていることを特徴とするものである。
【０００９】
同様の目的を達成するために請求項３に記載した発明は、請求項１又は２に記載の遊技機における装飾体の固定構造において、前記装飾ケースを前記内レールに沿うように設け、その装飾ケースの裏面中央部に、遊技盤に設けられるアウト口に遊技球を案内するための誘導通路が設けられていることを特徴とするものである。
【００１０】
同様の目的を達成するために請求項４に記載した発明は、請求項１〜３の何れかに記載の遊技機における装飾体の固定構造において、前記装飾ケースの背面側に所定間隔を置いて左右一対の係合孔を設け、前記入賞球集合カバーにそれらの係合孔に夫々係合する係止鉤を設けたことを特徴とするものである。
【００１１】
同様の目的を達成するために請求項５に記載した発明は、請求項１〜４の何れかに記載の遊技機における装飾体の固定構造において、前記装飾ケースの所定箇所にレンズ部材を配置し、そのレンズ部材の背面側に設けられた発光ランプにより当該レンズ部材を照明するようにした電飾装置を設けたことを特徴とするものである。
【発明の効果】
【００１２】
（請求項１の発明）
この遊技機における装飾体の固定構造は、遊技盤の前面に配置される装飾ケースのビス止めを施す箇所を極力少なくして固定を施すように設けているので、ビスの頭部が目立たず、装飾ケースの意匠性を向上することができる。さらに、ビス止めを施す箇所を少なくして装飾体を遊技盤に組み付けることができるので、生産性が向上し、生産コストの低減化を図ることができる。
【００１３】
（請求項２の発明）
この遊技機における装飾体の固定構造は、装飾体の突出部の係合孔に入賞球集合カバーの係止鉤を係合させた状態において当該突出部の裏面を入賞球集合カバーの内方の開口端に当接させるように設けているので、装飾体が遊技盤から浮上がることなく当該遊技盤に確実に固定することができる。
【００１４】
（請求項３の発明）
この遊技機における装飾体の固定構造は、装飾ケースの裏面に遊技盤のアウト口に遊技球を案内するための誘導通路を設けているので、遊技球の挙動する状況を観察しつつ遊技に興ずることができる。
【００１５】
（請求項４の発明）
この遊技機における装飾体の固定構造は、装飾ケースの背面側に所定間隔を置いて左右一対の係合孔を設け、前記入賞球集合カバーにそれらの係合孔に夫々係合する係止鉤を設けているので、装飾体を遊技盤に確実に安定的に固定することができる。
【００１６】
（請求項５の発明）
この遊技機における装飾体の固定構造は、装飾体の電飾装置による光による演出を行うことができるので、遊技の興趣を高めるのに寄与する。
【発明を実施するための最良の形態】
【００１７】
以下に、本発明の最良の形態例を図面に基づいて説明する。図１は本発明を適用したパチンコ機の正面図、図２は装飾体等を設置した遊技盤の正面図、図３は図２に示す遊技盤の背面図、図４は装飾体の裏面図、図５は図４のＡ−Ａ線断面図、図６は入賞球集合カバーの背面図、図７は図６のＢ−Ｂ線断面図、図８は遊技盤に取り付けられた装飾体の係合孔に、入賞球集合カバーの係止鉤を係合する前の状態を示す説明図、図９は図８の状態における装飾体の係合孔に入賞球集合カバーの係止鉤を係合させて固定を施した状態を示す説明図である。
【００１８】
本発明の装飾体の固定構造を適用した遊技機としてのパチンコ機ｐを図１に示す。このパチンコ機ｐの外枠１には、前面扉５を開閉自在に支持する金属製内枠（図示せず）が上下箇所に設けた一対のヒンジ金具２，３により開閉可能に取付けられている。６は前面扉５の中央に大きく開放するように形成されたガラス窓孔部である。その前面扉５の裏面側には、上記内枠に取り付けられる遊技盤１１の前側を覆う透明なガラス板７を装着する保持枠（図示せず）が固定されている。９は遊技球を発射するためのハンドルである。
【００１９】
図２に示すように、遊技盤１１の前面１１ａには、外レール１３と内レール１４をほぼ円形で渦巻状に配置し、それらの外レール１３と内レール１４により囲まれる遊技領域ｒ内に、多数の誘導釘１６を特定の配列に設置し、盤面部品としての風車１７、可変入賞装置１８、始動口１９、入賞口２０、左右一対のサイドランプ２１等が設置されている。
【００２０】
このパチンコ機ｐでは、特定の配列に設置された誘導釘（即ち、ゲージ構成１５）と盤面部品とにより占有される領域ｓの広さを、小さなガラス窓孔部を備えた他の機種のパチンコ機のものとほぼ同じに設けている。因みに、本件出願人における実施形態例では、該領域ｓの縦寸法を約４２０ｍｍ、横寸法を約３４０ｍｍとしている。そして、外レール１３及び内レール１４の内径寸法を他の機種のものよりも約２０〜３５ｍｍ程度大きくし、かつ、前面扉５のガラス窓孔部６を内レール１４の大きさに合わせて広く設けている。このことにより、誘導釘と盤面部品により占有される領域ｓの外周縁と、内レール１４の内側部とに円弧状の隙間ｕが生じる。その隙間ｕに装飾体２５が配置されている。
【００２１】
図２に示すように、装飾体２５の左右端縁には、左側装飾部材５０及び右側装飾部材５５とが内レール１４に沿うように凹円弧状に連接されていて、それらは全体として一つの斬新な意匠を構成するように設けられている。
【００２２】
装飾体２５の凹円弧状の装飾ケース２６は、遊技盤１１の前面１１ａに取付けられる部材であって、その内側部を前記遊技領域ｒを流下した遊技球が当接して落下方向を変更可能な円弧面２７に形成すると共に当該円弧面２７の左右の端縁に遊技盤１１に固定するための取付片２８，２８を一体に形成している。２８ａは取付片２８の裏面に形成された位置決めピンである。この位置決めピン２８ａは、遊技盤１１の前面１１ａに設けられる図示しない位置決め孔に挿入可能に設けられている。２９，２９は取付片２８，２８に形成された取付穴である。なお、その取付穴については、固定用のビスの頭部を目立たなくするために極力少なくするのが好ましいことから、この実施例では二箇所としている。
【００２３】
図４に示すように、装飾ケース２６の裏面２６ｂの中央部には、遊技盤１１に設けられるアウト口１２に遊技球を案内するための誘導通路３０が設けられている。３１は誘導通路３０に流入する遊技球を前方から視認可能に装飾ケース２６の中央部に穿設された透孔である。
【００２４】
装飾ケース２６の前面２６ａの複数の箇所、この実施形態例では上記誘導通路３０の左右対称位置に形成された裏枠部３２，３２内には、電飾装置４０の構成要素たるレンズ部材４１，４１を配置している。それらの裏枠部３２の開口部３２ａには、裏板部材３３がビス４５により夫々取付けられている。図４に示すように、その裏板部材３３の中央部には、遊技盤１１に形成された穴１１ｃに挿入可能な突出部３４が一体に設けられている。その突出部３４は内方を空洞に形成されており、上面３４ａと平坦な裏面３４ｂの一部を切欠して係合孔３５を形成すると共に当該係合孔３５に隣接して配線用穴３７を形成している。３６は係合孔３５に連接して設けられた係止壁である。
【００２５】
図５に示すように、裏板部材３３の内面側には、多数の発光ダイオード等の発光ランプ４３を介装したプリント基板４２を設けている。しかして、電飾装置４０においては、発光ランプ４３の光をレンズ部材４１の背面に投射させることにより、当該レンズ部材４１を明るく照明するように設けられている。
【００２６】
遊技盤１１の裏面１１ｂには、上述した始動口１９、可変入賞装置１８、入賞口２０に流入する遊技球を所定箇所に誘導するための入賞球集合カバー６０が設けられている。図６、図７に示すように、入賞球集合カバー６０の下部には、上記装飾体２５の左右一対の係合孔３５，３５に対応する係止鉤６１，６１が所定間隔をおいて設けられている。この入賞球集合カバー６０は、内方の開口端６０ａに形成された位置決め用ボス６２，６２を遊技盤１１に形成された図示しない位置決め穴に挿入してビス６５により当該遊技盤１１に固定されるように設けられている。
【００２７】
上記装飾体２５を遊技盤１１に取付ける手順について述べる。
図８に示すように、まず、装飾体２５の突出部３４を遊技盤１１の穴１１ｃに挿入して当該遊技盤１１の前面１１ａに装飾ケース２６をビス４６により取り付ける。ついで、装飾体２５の係合孔３５，３５に入賞球集合カバー６０の係止鉤６１，６１を夫々係合させ、その状態にて遊技盤１１の裏面１１ｂに入賞球集合カバー６０をビス６５により固定する（図３、図９）。これにより、入賞球集合カバー６０の係止鉤６１の先端６１ａが突出部３４の係止壁３６に内側から当接することになり、装飾体２５の突出部３４は常に後方に引き寄せられた状態とされる。そこで、仮に装飾体２５を前方へ引き寄せる外力が作用した場合には、突出部３４の裏面３４ｂ及び遊技盤１１の裏面１１ｂに入賞球集合カバー６０の開口端６０ａが当接しているため、装飾体２５は前方に引き寄せられることなく微動だにしない。これは、入賞球集合カバー６０の開口端６０ａと遊技盤１１の裏面１１ｂとの接触部位１１ｄがテコの原理でいうところの支点の役割を果たし、支点からの距離が短い係止鉤６１側への力、即ち前方に向けて引く力よりも、支点からの距離が長い入賞球集合カバー６０側への力である後方に向けて引く力の方が小さな力で装飾体２５を後方側に引き寄せることができるためであり、かかる力学的作用によって装飾体２５は遊技盤１１に強固に固定されることになる。
以上により、本発明の遊技機における装飾体の固定構造が構成される。
【００２８】
左側装飾部材５０及び右側装飾部材５５については、遊技盤１１にビス２２により取付けられたサイドランプ２１の外側部に固定されている。また、左側装飾部材５０及び右側装飾部材５５についても装飾体２５と同様に、電飾装置が設けられている。
【００２９】
つぎに、本発明の装飾体の固定構造を適用したパチンコ機ｐの作用について説明する。
遊技者のハンドル９操作により遊技球が発射されると、その遊技球は遊技領域ｒを転動する。そして、その遊技球が複数の始動口１９のうち何れかの始動口に入賞すれば、可変入賞装置１８の開閉片１８ａが所定回数開閉動作を行い、その開放中の開閉片１８ａ内に入った遊技球が特定入賞口に入賞することにより公知の大当たり状態が発生し、遊技者に有利な遊技を行うことができる。他方、遊技球が始動口１９等に入賞しない場合には、遊技球は遊技領域ｒを流下して装飾ケース２６の円弧面２７に当接し若しくは誘導通路３０の内壁面３０ａに当接してアウト口１２に流入し、入賞球集合カバー６０に入る。遊技中には、装飾体２５の電飾装置４０等による光の演出が遊技の進行プログラムに合わせて行われる。
【００３０】
以上に述べた通り、このパチンコ機における装飾体の固定構造によれば、遊技盤の前面に配置される装飾ケースのビス止めを施す箇所を極力少なくして固定を施すように設けているので、ビスの頭部が目立たないため装飾体の美観が損なわれず、装飾体の意匠性に優れる。さらに、ビス止めを施す箇所を少なくして装飾体を遊技盤に組み付けることができるので、生産性が向上するという利点がある。
【図面の簡単な説明】
【００３１】
【図１】本発明を適用したパチンコ機の正面図
【図２】装飾体等を設置した遊技盤の正面図
【図３】図２に示す遊技盤の背面図
【図４】装飾体の裏面図
【図５】図４のＡ−Ａ線断面図
【図６】入賞球集合カバーの背面図
【図７】図６のＢ−Ｂ線断面図
【図８】遊技盤に取り付けられた装飾体の係合孔に、入賞球集合カバーの係止鉤を係合する前の状態を示す説明図
【図９】図８の状態における装飾体の係合孔に入賞球集合カバーの係止鉤を係合させて固定を施した状態を示す説明図
【符号の説明】
【００３２】
ｐ・・・パチンコ機（遊技機）
ｒ・・・遊技領域
１１・・・遊技盤
１１ｃ・・・遊技盤の穴
１３・・・外レール
１４・・・内レール
２５・・・装飾体
２６・・・装飾ケース
３３，３３・・・裏板部材
３４，３４・・・突出部
３４ｂ・・・突出部の裏面
３５，３５・・・係合孔
４０・・・電飾装置
４１・・・レンズ部材
４３・・・発光ランプ
６０・・・入賞球集合カバー
６０ａ・・・開口端
６１，６１・・・係止鉤
【図１】
2007275316.tif 000003
【図２】
2007275316.tif 000004
【図３】
2007275316.tif 000005
【図４】
2007275316.tif 000006
【図５】
2007275316.tif 000007
【図６】
2007275316.tif 000008
【図７】
2007275316.tif 000009
【図８】
2007275316.tif 000010
【図９】
2007275316.tif 000011